(57)【要約】【課題】情報機器の冷却に関する問題を解消すること。【解決手段】吸気口選択装置３００は、情報機器５０〜８０に取り付けられた温度センサ５１ｃ〜５３ｃ、６１ｃ〜６３ｃ、７１ｃ〜７３ｃ、８１ｃ〜８３ｃから温度情報を取得する。そして、吸気口選択装置３００は、取得した各温度情報を基にして、情報機器毎に、吸気口の開閉を選択する。そして、吸気口選択装置３００は、開ける吸気口の情報および閉める吸気口の情報を表示する。【選択図】図１４
2015005776.tif 000002
【特許請求の範囲】
【請求項１】
開閉可能な複数の吸気口をそれぞれ有する複数の吸気面と、
排気口を有する排気面と、
前記複数の吸気面と前記排気面との間に収容される電子機器とを備え、
前記電子機器に配置される複数の電子部品のうち、冷却対象として優先度が他の電子部品より高い電子部品が、前記排気面周辺に配置されたことを特徴とする筐体。
【発明の詳細な説明】
【技術分野】
【０００１】
本発明は、筐体に関する。
【背景技術】
【０００２】
近年、複数のサーバ装置をラックに集中的に収容することで、わずかなスペースに多くのサーバ装置を配置することが可能となっている。また、ラックに収容される情報機器は、サーバ装置のみならず、各サーバ装置を相互に接続するハブなどもまとめて同一のラックに収容する。以下の説明では適宜、サーバ装置、ハブを情報機器と表記する。
【０００３】
情報機器は、内部の温度が高温となると、故障する恐れがある。このため、情報機器は、吸気口と排気口とを有しており、内部の温度が高温状態にならないように、吸気口から外気を吸い込み、内部の空気を排気口から排出している。上記のように、ラックに複数の情報機器を収容すると、各機器装置の温度が上昇しやすくなるため、吸気、排気を適切に行い、情報機器を冷却することが重要である。
【０００４】
また、情報機器には、保守者が情報機器の状態をチェックするための保守面やオペレータが操作するオペレータ面等が備えられている。例えば、保守者は、かかる保守面を操作して、情報機器の状態をチェックし、必要に応じて部品やデータの破棄や交換、ソフトウェアのアップデートなどの保守作業を実行する。
【０００５】
ここで、保守面の向きがばらばらの状態で、情報機器がラックに収容されていると、保守者は保守作業を行うために、ラックの周りを行ったり来たりすることとなり、保守者にかかる負担が大きいものとなる。このため、各情報機器の保守面の向きを統一して、ラックに収容する。このように、各情報機器の保守面の向きを統一することで、保守者の負担を軽減させるだけでなく、保守者が保守作業を行うスペースが固定され、保守面側ではないラックの方向のスペースや扉の開閉にかかる問題を考慮する必要もなくなる。
【先行技術文献】
【特許文献】
【０００６】
【特許文献１】特開平１−２９７８９２号公報
【発明の概要】
【発明が解決しようとする課題】
【０００７】
しかしながら、上述した従来技術では、情報機器の冷却に問題が生じる。
【０００８】
例えば、各情報機器の保守面やオペレータ面は、メーカや製品カテゴリ等により、排気口との配置関係が統一されていない。また、吸気口と排気口との位置関係も様々である。このため、各情報機器の保守面を統一すると、ある情報機器の排気口の近くに、他の情報機器の吸気口が配置されてしまう。この結果、排気口から排出された温度の高い空気が、他の情報機器の吸気口から吸引され、情報機器を冷却することができなくなってしまう。
【０００９】
なお、ラックに格納しない単一の情報機器であっても設置環境によっては、情報機器の吸気口の周辺温度が高くなる場合があるため、上記問題はラックに限らず、単一の情報機器であっても発生し得る。
【００１０】
開示の技術は、上記に鑑みてなされたものであって、情報機器の冷却に関する問題を解消することができる筐体を提供することを目的とする。
【課題を解決するための手段】
【００１１】
開示の筐体は、開閉可能な複数の吸気口をそれぞれ有する複数の吸気面と、排気口を有する排気面と、複数の吸気面と前記排気面との間に収容される電子機器とを備える。電子機器に配置される複数の電子部品のうち、冷却対象として優先度が他の電子部品より高い電子部品が、排気面周辺に配置される。
【発明の効果】
【００１２】
開示の筐体によれば、情報機器の冷却に関する問題を解消することができるという効果を奏する。
【図面の簡単な説明】
【００１３】
【図１】図１は、本実施例１にかかる情報機器の一例を示す図（１）である。
【図２】図２は、本実施例１にかかる情報機器の一例を示す図（２）である。
【図３】図３は、本実施例１にかかる情報機器の構成を示す図である。
【図４】図４は、本実施例１にかかる温度情報のデータ構造の一例を示す図である。
【図５】図５は、本実施例１にかかる吸気口選択装置の構成を示す機能ブロック図である。
【図６】図６は、本実施例１にかかる温度管理テーブルのデータ構造の一例を示す図である。
【図７】図７は、本実施例１にかかる位置対応情報のデータ構造の一例を示す図である。
【図８】図８は、本実施例１にかかる表示部の表示結果の一例を示す図である。
【図９】図９は、本実施例１にかかる吸気口選択装置が温度情報を取得する処理手順の一例を示すフローチャートである。
【図１０】図１０は、本実施例１にかかる吸気口選択装置が吸気口の開閉を選択する処理手順の一例を示すフローチャートである。
【図１１】図１１は、本実施例２にかかるラックの一例を示す図（１）である。
【図１２】図１２は、本実施例２にかかるラックの一例を示す図（２）である。
【図１３】図１３は、ラックの背面を開いた場合の各情報機器の保守面の一例を示す図である。
【図１４】図１４は、本実施例２にかかるラックの構成を示す図である。
【図１５】図１５は、情報機器６０が出力する温度情報のデータ構造の一例を示す図である。
【図１６】図１６は、情報機器７０が出力する温度情報のデータ構造の一例を示す図である。
【図１７】図１７は、情報機器８０が出力する温度情報のデータ構造の一例を示す図である。
【図１８】図１８は、本実施例２にかかる吸気口選択装置の構成を示す機能ブロック図である。
【図１９】図１９は、本実施例２にかかる温度管理テーブルのデータ構造の一例を示す図である。
【図２０】図２０は、本実施例２にかかる位置対応情報のデータ構造の一例を示す図である。
【図２１】図２１は、本実施例２にかかる表示部の表示結果の一例を示す図である。
【図２２】図２２は、本実施例２にかかる吸気口選択装置が温度情報を取得する処理手順の一例を示すフローチャートである。
【図２３】図２３は、本実施例２にかかる吸気口選択装置が吸気口の開閉を選択する処理手順の一例を示すフローチャートである。
【図２４】図２４は、排気口の周辺に温度センサを配置した各情報機器の一例を示す図である。
【図２５】図２５は、情報機器の内部の電子部品の配置例を示す図である。
【発明を実施するための形態】
【００１４】
以下に、本願の開示する筐体の実施例を図面に基づいて詳細に説明する。なお、この実施例によりこの発明が限定されるものではない。
【実施例１】
【００１５】
本実施例１にかかる情報機器について説明する。図１および図２は、本実施例１にかかる情報機器の一例を示す図である。図１は、情報機器５０を前方から見たものである。図２は、情報機器５０を後方から見たものである。なお、情報機器５０は、サーバ装置、各種ネットワーク機器などに対応する。
【００１６】
図１および図２に示すように、情報機器５０は、前面５１、左側面５２、右側面５３、背面５４を有する。また、前面５１、左側面５２、右側面５３には、保守者によって開閉可能な吸気口５１ａ、５２ａ、５３ａが設置されている。吸気口５１ａ、５２ａ、５３ａには、それぞれカバー５１ｂ、５２ｂ、５３ｂが設置されている。
【００１７】
例えば、保守者は、カバー５１ｂを右にスライドすることで吸気口５１ａを閉じ、カバー５１ｂを左にスライドすることで吸気口５１ａを開ける。保守者は、カバー５２ｂを右にスライドすることで吸気口５２ａを閉じ、カバー５２ｂを左にスライドすることで吸気口５２ａを開ける。保守者は、カバー５３ｂを右にスライドすることで吸気口５３ａを閉じ、カバー５３ｂを左にスライドすることで吸気口５３ａを開ける。
【００１８】
図２に示すように、情報機器５０は、背面５４に排気口５４ａが設置されている。情報機器５０は、内部の温度が過度に情報することを防ぐために、カバーの開けられた吸気口から外気を情報機器５０の内部に取り込み、排気口５４ａから内部の空気を排出する。本実施例１では一例として、情報機器５０の前面５１をオペレータ面とする。また、情報機器５０の背面５４を保守面とする。オペレータ面は、例えば、オペレータ等が情報機器５０の状態を確認する場合に参照する面である。保守面は、例えば、保守者等が情報機器５０に対する保守作業を行い場合に、ノートパソコンなどを接続する面である。
【００１９】
図１に示すように、オペレータ面には、ＤＶＤ（Digital  Versatile  Disk）やＣＤ（Compact  Disc）等の記憶媒体を情報機器５０に挿入するための挿入口１Ａが配置されている。また、オペレータ面には、情報機器５０の異常を通知するためのＬＥＤ（Light  Emitting  Diode）ランプ１Ｂなどが配置されている。
【００２０】
図２に示すように、保守面には、排気口５４ａに加えて、各種ポート１Ｃが配置されている。各種ポート１Ｃは、例えば、ＬＡＮ（Local  Area  Network）ポート、シリアルポート、ＵＳＢ（Universal  Serial  Bus）ポートなどに対応する。保守者は、各種ポートにノートパソコンなどを接続し、各種の保守作業を実行する。また、後述する吸気口選択装置も、各種ポート１Ｃによって、情報機器５０に接続する。
【００２１】
次に、本実施例１にかかる情報機器の構成の一例について説明する。図３は、本実施例１にかかる情報機器の構成を示す図である。図３に示すように、情報機器５０は、図１、２で説明したものに加えて、温度センサ５１ｃ、５２ｃ、５３ｃ、ファン５４ｂ、温度情報記憶部５５、インターフェース部５６を有する。なお、情報機器５０にはその他にも、各種の電子部品を搭載しているが、ここでは説明を省略する。
【００２２】
温度センサ５１ｃ、５２ｃ、５３ｃは、温度を測定するセンサである。例えば、温度センサ５１ｃは、情報機器５０内側の吸気口５１ａの周辺に配置される。温度センサ５２ｃは、情報機器５０内側の吸気口５２ａの周辺に配置される。温度センサ５３ｂは、情報機器５０内側の吸気口５３ａの周辺に配置される。温度センサ５１ｃ、５２ｃ、５３ｃは、温度情報を、温度情報記憶部５５に出力する。
【００２３】
ファン５４ｂは、情報機器５０の内部の空気を、排気口５４ａを介して外部に排出するためのファンである。
【００２４】
温度情報記憶部５５は、温度センサ５１ｃ、５２ｃ、５３ｃから温度情報を受け付け、温度情報を記憶する記憶装置である。温度情報記憶部５５は、位置識別情報と、温度情報と、温度情報を測定した日時とを対応付けて記憶する。位置識別情報は、温度センサの位置が前面であるのか、左側面であるのか、右側面であるのかを一意に識別する情報である。例えば、温度センサ５１ｃの位置識別情報を「ａ１」とする。温度センサ５２ｃの位置識別情報を「ａ２」とする。温度センサ５３ｃの位置識別情報を「ａ３」とする。「ａ１」は前面に対応し、「ａ２」は左側面に対応し、「ａ３」は右側面に対応する。
【００２５】
インターフェース部５６は、吸気口選択装置１００との間でデータ通信を行う処理部である。例えば、吸気口選択装置１００に接続される通信ケーブルを、各種ポート１Ｃに挿入することで、インターフェース部５６は、吸気口選択装置１００に接続される。インターフェース部５６は、吸気口選択装置１００から温度情報の要求を受け付けた場合に、温度情報記憶部５５に記憶された位置識別情報毎の温度情報を吸気口選択装置１００に出力する。
【００２６】
図４は、本実施例１にかかる温度情報のデータ構造の一例を示す図である。図４に示すように、温度情報は、日時と、装置識別情報と、位置識別情報と、温度とを対応付けて記憶する。このうち、装置識別情報は、情報機器５０を一意に識別する情報である。インターフェース部５６は、温度情報の要求を受け付ける度に、温度情報を、吸気口選択装置１００に出力する。
【００２７】
図３に示した吸気口選択装置１００の構成の一例について説明する。図５は、本実施例１にかかる吸気口選択装置の構成を示す機能ブロック図である。図５に示すように、この吸気口選択装置１００は、インターフェース部１１０、入力部１２０、表示部１３０、タイマ１３５、記憶部１４０、制御部１５０を有する。吸気口選択装置１００は、例えば、携帯端末、パソコン、ノートパソコン等に対応する。
【００２８】
インターフェース部１１０は、情報機器５０との間でデータ通信を行う処理部である。インターフェース部１１０は、通信ケーブル等によって、情報機器５０に接続される。インターフェース部１１０は、後述する制御部１５０からの各種制御命令を、情報機器５０に出力する。制御命令には、温度情報を要求する命令が含まれる。また、インターフェース部１１０は、情報機器５０から受け付ける情報を、制御部１５０に出力する。情報機器５０から受け付ける情報には、図４に示した温度情報等が含まれる。
【００２９】
入力部１２０は、吸気口選択装置１００に各種の情報を入力するための入力装置である。入力部１２０は、例えば、キーボードやマウス、タッチパネル等の入力装置に対応する。
【００３０】
表示部１３０は、制御部１５０から出力される情報を表示する表示装置である。例えば、表示部１３０は、吸気口の開閉に関する情報を表示する。表示部１３０は、例えば、ディスプレイやタッチパネルに対応する。
【００３１】
タイマ１３５は、日時の情報を、制御部１５０に出力するタイマである。
【００３２】
記憶部１４０は、温度管理テーブル１４０ａ、位置対応情報１４０ｂを記憶する記憶装置である。記憶部１４０は、例えば、ＲＡＭ（Random  Access  Memory）、ＲＯＭ（Read  Only  Memory）、フラッシュメモリ（Flash  Memory）などの半導体メモリ素子、またはハードディスク、光ディスクなどの記憶装置に対応する。
【００３３】
温度管理テーブル１４０ａは、情報機器５０内部の温度を保持するテーブルである。図６は、本実施例１にかかる温度管理テーブルのデータ構造の一例を示す図である。図６に示すように、この温度管理テーブル１４０ａは、ログ識別情報と、日時と、装置識別情報と、位置識別情報と、温度とを対応付ける。
【００３４】
ログ識別情報は、ログを一意に識別する情報である。本実施例１では一例として、ログ識別情報を「ＬＯＧ−ＴＥＭＰ」とする。日時は、温度を測定した日時を示す情報である。装置識別情報は、情報機器を一意に識別する情報である。例えば、図３等に示した情報機器５０の装置識別情報を「ｆ１」とする。位置識別情報は、温度センサの位置を一意に識別する情報である。温度は、各温度センサが検出した温度の情報である。
【００３５】
例えば、図６に示す例では、日時「２０１１年８月２３日８時０分００秒」の情報機器５０において、位置識別情報「ａ１」に対応する位置の温度が「３７．１度」である旨が記憶されている。また、位置識別情報「ａ２」に対応する位置の温度が「３５．２度」、位置識別情報「ａ３」に対応する位置の温度が「３９．４度」である旨が記憶されている。
【００３６】
位置対応情報１４０ｂは、位置識別情報と、吸気口とを対応付ける情報である。例えば、位置識別情報は、位置識別情報に該当する温度センサに最も近い吸気口を対応付ける。図７は、本実施例１にかかる位置対応情報のデータ構造の一例を示す図である。図７に示すように、位置対応情報は、位置識別情報と吸気口識別情報とを対応付ける。図７に示すように、位置識別情報「ａ１」に対応する吸気口識別情報は「吸気口５１ａ」である。位置識別情報「ａ２」に対応する吸気口識別情報は「吸気口５２ａ」である。位置識別情報「ａ３」に対応する吸気口識別情報は「吸気口５３ａ」である。
【００３７】
制御部１５０は、温度取得部１５０ａ、選択部１５０ｂ、通知部１５０ｃを有する。制御部１５０は、例えば、ＡＳＩＣ（Application  Specific  Integrated  Circuit）や、ＦＰＧＡ（Field  Programmable  Gate  Array）などの集積装置に対応する。また、制御部１５０は、例えば、ＣＰＵ（Central  Processing  Unit）やＭＰＵ（Micro  Processing  Unit）等の電子回路に対応する。制御部１５０は、インターフェース部１１０を介して、情報機器５０との間でデータをやり取りするものとする。
【００３８】
温度取得部１５０ａは、図３の情報機器５０に取り付けられた吸気口５１ａ、５２ａ、５３ｂの周辺にそれぞれ配置された温度センサ５１ｂ、５２ｂ、５３ｂが測定した温度を取得する処理部である。
【００３９】
例えば、温度取得部１５０ａは、温度情報を要求する制御命令を、情報機器５０に出力する。そして、温度取得部１５０ａは、情報機器５０から温度情報を取得する。温度情報のデータ構造は、図４に示したものとなる。温度取得部１５０ａは、ログ識別情報、日時、装置識別情報、位置識別情報、温度を対応付けて、温度管理テーブル１４０ａに登録する。
【００４０】
温度取得部１５０ａは、日時の情報をタイマ１３５から取得し、予め指定された指定時間になる度に、温度情報を要求する制御命令を、情報機器５０に出力する。温度取得部１５０ａは、情報機器５０から温度情報を取得する度に、温度管理テーブル１４０ａに温度情報を格納する。
【００４１】
選択部１５０ｂは、温度管理テーブル１４０ａを基にして、吸気口の開閉を選択する処理部である。
【００４２】
例えば、選択部１５０ｂは、温度管理テーブル１４０ａを参照し、位置識別情報毎の最高温度を検出する。選択部１５０ｂは、位置識別情報毎の最高温度を比較し、各最高温度の内、最も低い温度に対応する位置識別情報を判定する。そして、選択部１５０ｂは、判定した位置識別情報と、位置対応情報１４０ｂとを比較して、吸気口の開閉を選択する。選択部１５０ｂは、最も低い温度に対応する位置識別情報に対応する吸気口を「開ける吸気口」として選択し、その他の吸気口を「閉める吸気口」とする。
【００４３】
例えば、位置識別情報「ａ１」の最高温度を「３７．１度」、位置識別情報「ａ２」の最高温度を「３５．３度」、位置識別情報「ａ３」の最高温度を「３９．４度」とする。この場合には、各最高温度のうち、最も低い温度に対応する位置識別情報は、位置識別情報「ａ２」となる。このため、選択部１５０ｂは、最も低い温度に対応する位置識別情報を位置識別情報「ａ２」として判定する。また、位置識別情報「ａ２」に対応する吸気口は「吸気口５２ａ」となる。このため、選択部１５０ｂは、開ける吸気口として、「吸気口５２ａ」を選択する。そして、選択部１５０ｂは、その他の吸気口５１ａ、５３ａを閉める吸気口として選択する。
【００４４】
選択部１５０ｂは、吸気口の開閉に関する情報を、通知部１５０ｃに出力する。具体的に、選択部１５０ｂは、開ける吸気口の情報、閉める吸気口の情報、最も低い温度に対応する位置識別情報を、通知部１５０ｃに出力する。
【００４５】
通知部１５０ｃは、吸気口の開閉に関する情報を、表示部１３０に表示させる処理部である。また、通知部１５０ｃは、温度管理テーブル１４０ａを基にして、時間経過に伴って変化する位置毎の温度を表示部１３０に表示させても良い。また、通知部１５０ｃは、位置識別情報に対応する位置を具体的に表示部１３０に表示しても良い。
【００４６】
図８は、本実施例１にかかる表示部の表示結果の一例を示す図である。図８に示す例では、最高気温が最も低い位置が「ａ２」であり、開ける吸気口は「吸気口５２ａ」であり、閉める吸気口は「吸気口５１ａ、５３ａ」である旨が表示されている。通知部１５０ｃは、吸気口の位置がわかりやすいように、吸気口と位置識別情報とを対応付けて表示しても良い。また、「ａ１」が前面、「ａ２」が左側面、「ａ３」が右側面である旨を、表示しても良い。また、情報機器５０の前面に「ａ１」のシールを貼り、左側面に「ａ２」のシールを貼り、右側面に「ａ３」のシールを貼ってもよい。
【００４７】
図８に示す表示結果を見た保守者は、吸気口５２ａを開け、吸気口５１ａおよび吸気口５３ａを閉じる。このように、保守者が吸気口を開閉することで、情報機器５０は、最も温度が低い外気を内部に吸入することができ、情報機器５０を冷却することができる。
【００４８】
次に、本実施例１にかかる吸気口選択装置１００の処理手順について説明する。図９は、本実施例１にかかる吸気口選択装置が温度情報を取得する処理手順の一例を示すフローチャートである。吸気口選択装置１００は、図９に示す処理を、所定の時間間隔毎に繰り返し実行する。
【００４９】
図９に示すように、吸気口選択装置１００は、指定時間になったか否かを判定する（ステップＳ１０１）。吸気口選択装置１００は、指定時間になっていない場合には（ステップＳ１０２，Ｎｏ）、処理を終了する。
【００５０】
一方、吸気口選択装置１００は、指定時間になった場合には（ステップＳ１０２，Ｙｅｓ）、温度情報を情報機器５０に要求する（ステップＳ１０３）。そして、吸気口選択装置１００は、温度情報を情報機器５０から取得する（ステップＳ１０４）。吸気口選択装置１００は、温度情報を温度管理テーブル１４０ａに登録する（ステップＳ１０５）。
【００５１】
図１０は、本実施例１にかかる吸気口選択装置が吸気口の開閉を選択する処理手順の一例を示すフローチャートである。吸気口選択装置１００は、例えば、吸気口を選択する旨の要求を入力部１２０等から受け付けた場合に、図１０に示す処理を実行しても良い。
【００５２】
図１０に示すように、吸気口選択装置１００は、温度管理テーブル１４０ａから各位置識別情報に対応する温度を取得する（ステップＳ１１１）。吸気口選択装置１００は、温度が最も低い位置に対応する吸気口を、開ける吸気口として選択する（ステップＳ１１２）。そして、吸気口選択装置１００は、吸気口の開閉に関する情報を表示する（ステップＳ１１３）。
【００５３】
次に、本実施例１にかかる吸気口選択装置１００の効果について説明する。吸気口選択装置１００は、情報機器５０に取り付けられた吸気口５１ａ〜５３ａ周辺の温度センサ５１ｃ〜５３ｃから温度情報を取得する。そして、吸気口選択装置１００は、各温度センサ５１ｃ〜５３ｃが測定した温度を基にして、吸気口の開閉を選択する。このため、情報機器５０の開閉可能な吸気口５１ａ〜５３ａのうち、最も温度の低い外気を取り込むことができる吸気口を保守者に通知することができるため、情報機器５０を最適に冷却することができる。
【００５４】
なお、実施例１では、吸気口選択装置１００が、情報機器５０の外部に接続される場合を例にして説明したがこれに限定されるものではない。例えば、情報機器５０自体に、吸気口選択装置１００に対応する機能を組み込んで構成しても良い。
【実施例２】
【００５５】
次に、本実施例２にかかるラックについて説明する。図１１および図１２は、本実施例２にかかるラックの一例を示す図である。図１１は、ラック２００を斜め前前方から見たものである。図１２は、ラック２００を後方から見たものである。
【００５６】
図１１および図１２に示すように、ラック２００は、前面２１０、右側面２２０、左側面２３０、背面２４０を有する。なお、ラックの内部の状況を分かりやすくするために、背面２４０等の一部にガラス２４０ａを設置しても良い。
【００５７】
ラック２００の内部には、複数の情報機器が積み重なって格納されている。ラック２００の前面２１０、右側面２２０、左側面２３０、背面２４０は、取り外し可能であり、保守者は、前面２１０、右側面２２０、左側面２３０、背面２４０の何れかを取り外して、保守作業を行う。なお、本実施例２では一例として、ラック２００の内部に格納された複数の情報機器は、各情報機器の保守面が、ラック２００の背面２４０側を向いているものとする。
【００５８】
図１３は、ラックの背面を開いた場合の各情報機器の保守面の一例を示す図である。図１３に示すように、ラック２００は、上から順に、情報機器５０、６０、７０、８０が格納されている。ここでは、情報機器５０〜８０が格納されている例を示すが、その他の情報機器が格納されていても良い。
【００５９】
例えば、情報機器５０、７０、８０に関しては、背面が保守面になっており、情報機器６０に関しては、前面が保守面になっているものとする。また、情報機器５０、７０、８０は、背面に排気口が設置される。情報機器６０は、前面に排気口が設置される。例えば、各情報機器の保守面やオペレータ面は、メーカや製造カテゴリにより、排気口との配置関係が統一されていない。また、吸気口と排気口との位置関係も様々である。このため、各情報機器の保守面を統一すると、ある情報機器の排気口の近くに、他の情報機器の吸気口が配置されてしまう。
【００６０】
情報機器５０は、実施例１に示した情報機器５０に対応する。情報機器５０の背面５４には、排気口５４ａが設置されている。また、背面５４には、各種ポート１Ｃが設置されている。保守者は、各種ポート１Ｃにノートパソコンなどを接続し、各種の保守作業を実行する。また、後述する吸気口選択装置も、各種ポート１Ｃによって、情報機器５０に接続する。
【００６１】
情報機器６０の前面６１には、吸気口６１ａが設置されている。例えば、保守者は、カバー６１ｂを右にスライドすることで吸気口６１ａを閉じ、カバー６１ｂを左にスライドすることで吸気口６１ａを開ける。また、前面６１には、各種ポート２Ｃが設置されている。保守者は、各種ポート２Ｃにノートパソコンなどを接続し、各種の保守作業を実行する。また、後述する吸気口選択装置も、各種ポート２Ｃによって、情報機器６０に接続する。
【００６２】
情報機器７０の背面７４には、排気口７４ａが設置されている。また、背面７４には、各種ポート３Ｃが設置されている。保守者は、各種ポート３Ｃにノートパソコンなどを接続し、各種の保守作業を実行する。また、後述する吸気口選択装置も、各種ポート３Ｃによって、情報機器７０に接続する。
【００６３】
情報機器８０の背面８４には、排気口８４ａが設置されている。また、背面８４には、各種ポート４Ｃが設置されている。保守者は、各種ポート４Ｃにノートパソコンなどを接続し、各種の保守作業を実行する。また、後述する吸気口選択装置も、各種ポート４Ｃによって、情報機器８０に接続する。
【００６４】
図１３に示した各種ポート１Ｃ〜４Ｃは、例えば、ＬＡＮポート、シリアルポート、ＵＳＢポートなどに対応する。
【００６５】
次に、本実施例２にかかるラックの構成の一例について説明する。図１４は、本実施例２にかかるラックの構成を示す図である。図１４に示すように、ラック２００は、情報機器５０、６０、７０、８０を格納する。
【００６６】
情報機器５０には、カバーによって開閉可能な吸気口５１ａ、５２ａ、５３ａが設置されている。例えば、カバー５２ｂを右（前面５１側）にスライドすることで、吸気口５２ａは閉じ、左（背面５４側）にスライドすることで、吸気口５２ａは開く。図示しないが、他の吸気口５１ａ、５３ａにもカバーが設置されている。吸気口５１ａは、情報機器５０の前面５１に設置される。吸気口５２ａは、情報機器５０の左側面５２に設置される。吸気口５３ａは、情報機器５０の右側面５３に設置される。
【００６７】
情報機器５０には、温度センサ５１ｃ、５２ｃ、５３ｃが配置されている。例えば、温度センサ５１ｃは、情報機器５０内側の吸気口５１ａの周辺に配置される。温度センサ５２ｃは、情報機器５０内側の吸気口５２ａの周辺に配置される。温度センサ５３ｃは、情報機器５０内側の吸気口５３ａの周辺に配置される。温度センサ５１ｃ、５２ｃ、５３ｃは、温度情報を、情報機器５０の温度情報記憶部に出力する。
【００６８】
情報機器５０の温度情報記憶部は、温度センサ５１ｃ、５２ｃ、５３ｃから温度情報を受け付け、温度情報を記憶する記憶装置である。情報機器５０の温度情報記憶部は、温度センサの位置を一意に識別する位置識別情報と、温度情報と、温度情報を測定した日時とを対応付けて記憶する。例えば、温度センサ５１ｃの位置識別情報を「ａ１」とする。温度センサ５２ｃの位置識別情報を「ａ２」とする。温度センサ５３ｃの位置識別情報を「ａ３」とする。
【００６９】
情報機器５０は、インターフェース部を介して、吸気口選択装置３００との間でデータ通信を行う。情報機器５０は、吸気口選択装置３００から温度情報の要求を受け付けた場合に、温度情報記憶部に記憶された位置識別情報毎の温度情報を吸気口選択装置３００に出力する。情報機器５０が出力する温度情報のデータ構造は、図４に示したものに対応する。
【００７０】
情報機器６０は、カバーによって開閉可能な吸気口６１ａ、６２ａ、６３ａが設置されている。例えば、カバー６３ｂを左にスライドすることで、吸気口６３ａは閉じ、右にスライドすることで、吸気口６３ａは開く。図示しないが、他の吸気口６１ａ、６２ａにもカバーが設置されている。吸気口６１ａは、情報機器６０の前面６１に設置される。吸気口６２ａは、情報機器６０の左側面６２に設置される。吸気口６３ａは、情報機器６０の右側面６３に設置される。
【００７１】
情報機器６０には、温度センサ６１ｃ、６２ｃ、６３ｃが配置されている。例えば、温度センサ６１ｃは、情報機器６０内側の吸気口６１ａの周辺に配置される。温度センサ６２ｃは、情報機器６０内側の吸気口６２ａの周辺に配置される。温度センサ６３ｃは、情報機器６０内側の吸気口６３ａの周辺に配置される。温度センサ６１ｃ、６２ｃ、６３ｃは、温度情報を、情報機器６０の温度情報記憶部に出力する。
【００７２】
情報機器６０の温度情報記憶部は、温度センサ６１ｃ、６２ｃ、６３ｃから温度情報を受け付け、温度情報を記憶する記憶装置である。情報機器６０の温度情報記憶部は、温度センサの位置を一意に識別する位置識別情報と、温度情報と、温度情報を測定した日時とを対応付けて記憶する。例えば、温度センサ６１ｃの位置識別情報を「ｂ１」とする。温度センサ６２ｃの位置識別情報を「ｂ２」とする。温度センサ６３ｃの位置識別情報を「ｂ３」とする。
【００７３】
情報機器６０は、インターフェース部を介して、吸気口選択装置３００との間でデータ通信を行う。情報機器６０は、吸気口選択装置３００から温度情報の要求を受け付けた場合に、温度情報記憶部に記憶された位置識別情報毎の温度情報を吸気口選択装置３００に出力する。
【００７４】
図１５は、情報機器６０が出力する温度情報のデータ構造の一例を示す図である。図１５に示すように、この温度情報は、日時と、装置識別情報と、位置識別情報と、温度とを対応付けて記憶する。このうち、装置識別情報は、情報機器６０を一意に識別する情報である。情報機器６０の装置識別情報を「ｆ２」とする。
【００７５】
情報機器７０は、カバーによって開閉可能な吸気口７１ａ、７２ａ、７３ａが設置されている。例えば、カバー７２ｂを右にスライドすることで、吸気口７２ａは閉じ、左にスライドすることで、吸気口７２ａは開く。図示しないが、他の吸気口７１ａ、７３ａにもカバーが設置されている。吸気口７１ａは、情報機器７０の前面７１に設置される。吸気口７２ａは、情報機器７０の左側面７２に設置される。吸気口７３ａは、情報機器７０の右側面７３に設置される。
【００７６】
情報機器７０には、温度センサ７１ｃ、７２ｃ、７３ｃが配置されている。例えば、温度センサ７１ｃは、情報機器７０内側の吸気口７１ａの周辺に配置される。温度センサ７２ｃは、情報機器７０内側の吸気口７２ａの周辺に配置される。温度センサ７３ｃは、情報機器７０内側の吸気口７３ａの周辺に配置される。温度センサ７１ｃ、７２ｃ、７３ｃは、温度情報を、情報機器７０の温度情報記憶部に出力する。
【００７７】
情報機器７０の温度情報記憶部は、温度センサ７１ｃ、７２ｃ、７３ｃから温度情報を受け付け、温度情報を記憶する記憶装置である。情報機器７０の温度情報記憶部は、温度センサの位置を一意に識別する位置識別情報と、温度情報と、温度情報を測定した日時とを対応付けて記憶する。例えば、温度センサ７１ｃの位置識別情報を「ｃ１」とする。温度センサ７２ｃの位置識別情報を「ｃ２」とする。温度センサ７３ｃの位置識別情報を「ｃ３」とする。
【００７８】
情報機器７０は、インターフェース部を介して、吸気口選択装置３００との間でデータ通信を行う。情報機器７０は、吸気口選択装置３００から温度情報の要求を受け付けた場合に、温度情報記憶部に記憶された位置識別情報毎の温度情報を吸気口選択装置３００に出力する。
【００７９】
図１６は、情報機器７０が出力する温度情報のデータ構造の一例を示す図である。図１６に示すように、この温度情報は、日時と、装置識別情報と、位置識別情報と、温度とを対応付けて記憶する。このうち、装置識別情報は、情報機器７０を一意に識別する情報である。情報機器７０の装置識別情報を「ｆ３」とする。
【００８０】
情報機器８０は、カバーによって開閉可能な吸気口８１ａ、８２ａ、８３ａが設置されている。例えば、カバー８２ｂを右にスライドすることで、吸気口８２ａは閉じ、左にスライドすることで、吸気口８２ａは開く。図示しないが、他の吸気口８１ａ、８３ａにもカバーが設置されている。吸気口８１ａは、情報機器８０の前面８１に設置される。吸気口８２ａは、情報機器８０の左側面８２に設置される。吸気口８３ａは、情報機器８０の右側面８３に設置される。
【００８１】
情報機器８０には、温度センサ８１ｃ、８２ｃ、８３ｃが配置されている。例えば、温度センサ８１ｃは、情報機器８０内側の吸気口８１ａの周辺に配置される。温度センサ８２ｃは、情報機器８０内側の吸気口８２ａの周辺に配置される。温度センサ８３ｃは、情報機器８０内側の吸気口８３ａの周辺に配置される。温度センサ８１ｃ、８２ｃ、８３ｃは、温度情報を、情報機器８０の温度情報記憶部に出力する。
【００８２】
情報機器８０の温度情報記憶部は、温度センサ８１ｃ、８２ｃ、８３ｃから温度情報を受け付け、温度情報を記憶する記憶装置である。情報機器８０の温度情報記憶部は、温度センサの位置を一意に識別する位置識別情報と、温度情報と、温度情報を測定した日時とを対応付けて記憶する。例えば、温度センサ８１ｃの位置識別情報を「ｄ１」とする。温度センサ８２ｃの位置識別情報を「ｃ２」とする。温度センサ８３ｃの位置識別情報を「ｃ３」とする。
【００８３】
図１７は、情報機器８０が出力する温度情報のデータ構造の一例を示す図である。図１７に示すように、この温度情報は、日時と、装置識別情報と、位置識別情報と、温度とを対応付けて記憶する。このうち、装置識別情報は、情報機器８０を一意に識別する情報である。情報機器８０の装置識別情報を「ｆ４」とする。
【００８４】
次に、図１４に示した吸気口選択装置３００の構成の一例について説明する。図１８は、本実施例２にかかる吸気口選択装置の構成を示す機能ブロック図である。図１８に示すように、この吸気口選択装置３００は、インターフェース部３１０、入力部３２０、表示部３３０、タイマ３３５、記憶部３４０、制御部３５０を有する。
【００８５】
インターフェース部３１０は、情報機器５０、６０、７０、８０との間でデータ通信を行う処理部である。インターフェース部３１０は、通信ケーブル等によって、情報機器５０、６０、７０、８０に接続される。インターフェース部３１０は、後述する制御部３５０からの各種制御命令を、情報機器５０、６０、７０、８０に出力する。制御命令には、温度情報を要求する命令が含まれる。また、インターフェース部３１０は、情報機器５０、６０、７０、８０から受け付ける情報を、制御部３５０に出力する。情報機器５０、６０、７０、８０から受け付ける情報には、図４、図１５〜図１７に示した温度情報等が含まれる。
【００８６】
入力部３２０は、吸気口選択装置３００に各種の情報を入力するための入力装置である。入力部３２０は、例えば、キーボードやマウス、タッチパネル等の入力装置に対応する。
【００８７】
表示部３３０は、制御部３５０から出力される情報を表示する表示装置である。例えば、表示部３３０は、吸気口の開閉に関する情報を表示する。表示部３３０は、例えば、ディスプレイやタッチパネルに対応する。
【００８８】
タイマ３３５は、日時の情報を、制御部３５０に出力するタイマである。
【００８９】
記憶部３４０は、温度管理テーブル３４０ａ、位置対応情報３４０ｂを記憶する記憶装置である。記憶部３４０は、例えば、ＲＡＭ、ＲＯＭ、フラッシュメモリなどの半導体メモリ素子、またはハードディスク、光ディスクなどの記憶装置に対応する。
【００９０】
温度管理テーブル３４０ａは、情報機器５０〜８０内部の温度を保持するテーブルである。図１９は、本実施例２にかかる温度管理テーブルのデータ構造の一例を示す図である。図１９に示すように、この温度管理テーブル３４０ａは、ログ識別情報と、日時と、装置識別情報と、位置識別情報と、温度とを対応付ける。
【００９１】
ログ識別情報は、ログを一意に識別する情報である。本実施例２では一例として、ログ識別情報を「ＬＯＧ−ＴＥＭＰ」とする。日時は、温度を測定した日時を示す情報である。装置識別情報は、情報機器を一意に識別する情報である。例えば、図１４等に示した情報機器５０の装置識別情報を「ｆ１」とする。情報機器６０の装置識別情報を「ｆ２」とする。情報機器７０の装置識別情報を「ｆ３」とする。情報機器８０の装置識別情報を「ｆ４」とする。位置識別情報は、温度センサの位置を一意に識別する情報である。温度は、各温度センサが検出した温度の情報である。
【００９２】
例えば、図１９に示す例では、日時「２０１１年８月２３日８時０分００秒」の情報機器５０（装置識別情報ｆ１）において、位置識別情報「ａ１」に対応する位置の温度が「３７．１度」である旨が記憶されている。また、位置識別情報「ａ２」に対応する位置の温度が「３５．２度」、位置識別情報「ａ３」に対応する位置の温度が「３８．３度」である旨が記憶されている。
【００９３】
また、日時「２０１１年８月２３日８時０分００秒」の情報機器６０（装置識別情報ｆ２）において、位置識別情報「ｂ１」に対応する位置の温度が「３８．１度」である旨が記憶されている。また、位置識別情報「ｂ２」に対応する位置の温度が「３５．２度」、位置識別情報「ｂ３」に対応する位置の温度が「３９．４度」である旨が記憶されている。
【００９４】
また、日時「２０１１年８月２３日８時０分００秒」の情報機器７０（装置識別情報ｆ３）において、位置識別情報「ｃ１」に対応する位置の温度が「３２．５度」である旨が記憶されている。また、位置識別情報「ｃ２」に対応する位置の温度が「３４．７度」、位置識別情報「ｃ３」に対応する位置の温度が「３７．０度」である旨が記憶されている。
【００９５】
また、日時「２０１１年８月２３日８時０分００秒」の情報機器８０（装置識別情報ｆ４）において、位置識別情報「ｄ１」に対応する位置の温度が「３３．３度」である旨が記憶されている。また、位置識別情報「ｄ２」に対応する位置の温度が「３５．６度」、位置識別情報「ｄ３」に対応する位置の温度が「３７．６度」である旨が記憶されている。
【００９６】
位置対応情報３４０ｂは、位置識別情報と、位置識別情報の位置に最も近い吸気口とを対応付ける情報である。図２０は、本実施例２にかかる位置対応情報のデータ構造の一例を示す図である。図２０に示すように、位置対応情報３４０ｂは、位置識別情報と吸気口識別情報とを対応付ける。図２０に示すように、位置識別情報「ａ１」に対応する吸気口識別情報は「吸気口５１ａ」である。位置識別情報「ａ２」に対応する吸気口識別情報は「吸気口５２ａ」である。位置識別情報「ａ３」に対応する吸気口識別情報は「吸気口５３ａ」である。
【００９７】
また、位置識別情報「ｂ１」に対応する吸気口識別情報は「吸気口６１ａ」である。位置識別情報「ｂ２」に対応する吸気口識別情報は「吸気口６２ａ」である。位置識別情報「ｂ３」に対応する吸気口識別情報は「吸気口６３ａ」である。また、位置識別情報「ｃ１」に対応する吸気口識別情報は「吸気口７１ａ」である。位置識別情報「ｃ２」に対応する吸気口識別情報は「吸気口７２ａ」である。位置識別情報「ｃ３」に対応する吸気口識別情報は「吸気口７３ａ」である。また、位置識別情報「ｄ１」に対応する吸気口識別情報は「吸気口８１ａ」である。位置識別情報「ｄ２」に対応する吸気口識別情報は「吸気口８２ａ」である。位置識別情報「ｄ３」に対応する吸気口識別情報は「吸気口８３ａ」である。
【００９８】
制御部３５０は、温度取得部３５０ａ、選択部３５０ｂ、通知部３５０ｃを有する。制御部３５０は、例えば、ＡＳＩＣや、ＦＰＧＡなどの集積装置に対応する。また、制御部３５０は、例えば、ＣＰＵやＭＰＵ等の電子回路に対応する。制御部３５０は、インターフェース部３１０を介して、情報機器５０〜８０との間でデータをやり取りするものとする。
【００９９】
温度取得部３５０ａは、図１４の情報機器５０〜８０に取り付けられた各吸気口の周辺にそれぞれ配置された温度センが測定した温度を取得する処理部である。
【０１００】
例えば、温度取得部３５０ａは、温度情報を要求する制御命令を、情報機器５０〜８０に出力する。そして、温度取得部３５０ａは、情報機器５０〜８０から温度情報を取得する。情報機器５０から取得する温度情報のデータ構造は、図４に示すものとなる。情報機器６０〜８０から取得する温度情報のデータ構造はそれぞれ、図１５〜図１７に示すものとなる。温度取得部３５０ａは、ログ識別情報、日時、装置識別情報、位置識別情報、温度を対応付けて、温度管理テーブル３４０ａに登録する。
【０１０１】
温度取得部３５０ａは、日時の情報をタイマ３３５から取得し、予め指定された指定時間になる度に、温度情報を要求する制御命令を、情報機器５０〜８０に出力する。温度取得部３５０ａは、情報機器５０〜８０から温度情報を取得する度に、温度管理テーブル３４０ａに温度情報を格納する。
【０１０２】
選択部３５０ｂは、温度管理テーブル３４０ａを基にして、各情報機器５０〜８０の吸気口の開閉を選択する処理部である。
【０１０３】
選択部３５０ｂが情報機器５０の吸気口５１ａ、５２ａ、５３ａの開閉を選択する処理について説明する。選択部３５０ｂは、装置識別情報が「ｆ１」となる、位置識別情報毎の最高温度を比較し、各最高温度のうち、最も低い温度に対応する位置識別情報を判定する。そして、選択部３５０ｂは、判定した位置識別情報と、位置対応情報３４０ｂとを比較して、吸気口の開閉を選択する。選択部３５０ｂは、最も低い温度に対応する位置識別情報に対応する吸気口を「開ける吸気口」として選択し、その他の吸気口を「閉める吸気口」とする。
【０１０４】
例えば、位置識別情報「ａ１」の最高温度を「３７．１度」、位置識別情報「ａ２」の最高温度を「３５．２度」、位置識別情報「ａ３」の最高温度を「３９．４度」とする。この場合には、各最高温度のうち、最も低い温度に対応する位置識別情報は、位置識別情報「ａ２」となる。このため、選択部３５０ｂは、最も低い温度に対応する位置識別情報を位置識別情報「ａ２」として判定する。また、位置識別情報「ａ２」に対応する吸気口は「吸気口５２ａ」となる。このため、選択部３５０ｂは、開ける吸気口として、「吸気口５２ａ」を選択する。そして、選択部３５０ｂは、その他の吸気口５１ａ、５３ａを閉める吸気口として選択する。
【０１０５】
選択部３５０ｂが情報機器６０の吸気口６１ａ、６２ａ、６３ａの開閉を選択する処理について説明する。選択部３５０ｂは、装置識別情報が「ｆ２」となる、位置識別情報毎の最高温度を比較し、各最高温度のうち、最も低い温度に対応する位置識別情報を判定する。そして、選択部３５０ｂは、判定した位置識別情報と、位置対応情報３４０ｂとを比較して、吸気口の開閉を選択する。選択部３５０ｂは、最も低い温度に対応する位置識別情報に対応する吸気口を「開ける吸気口」として選択し、その他の吸気口を「閉める吸気口」とする。
【０１０６】
例えば、位置識別情報「ｂ１」の最高温度を「３８．１度」、位置識別情報「ｂ２」の最高温度を「３５．２度」、位置識別情報「ｂ３」の最高温度を「３９．４度」とする。この場合には、各最高温度のうち、最も低い温度に対応する位置識別情報は、位置識別情報「ｂ２」となる。このため、選択部３５０ｂは、最も低い温度に対応する位置識別情報を位置識別情報「ｂ２」として判定する。また、位置識別情報「ｂ２」に対応する吸気口は「吸気口６２ａ」となる。このため、選択部３５０ｂは、開ける吸気口として、「吸気口６２ａ」を選択する。そして、選択部３５０ｂは、その他の吸気口６１ａ、６３ａを閉める吸気口として選択する。
【０１０７】
選択部３５０ｂが情報機器７０の吸気口７１ａ、７２ａ、７３ａの開閉を選択する処理について説明する。選択部３５０ｂは、装置識別情報が「ｆ３」となる、位置識別情報毎の最高温度を比較し、各最高温度のうち、最も低い温度に対応する位置識別情報を判定する。そして、選択部３５０ｂは、判定した位置識別情報と、位置対応情報３４０ｂとを比較して、吸気口の開閉を選択する。選択部３５０ｂは、最も低い温度に対応する位置識別情報に対応する吸気口を「開ける吸気口」として選択し、その他の吸気口を「閉める吸気口」とする。
【０１０８】
例えば、位置識別情報「ｃ１」の最高温度を「３２．５度」、位置識別情報「ｃ２」の最高温度を「３４．７度」、位置識別情報「ｃ３」の最高温度を「３７．０度」とする。この場合には、各最高温度のうち、最も低い温度に対応する位置識別情報は、位置識別情報「ｃ１」となる。このため、選択部３５０ｂは、最も低い温度に対応する位置識別情報を位置識別情報「ｃ１」として判定する。また、位置識別情報「ｃ１」に対応する吸気口は「吸気口７１ａ」となる。このため、選択部３５０ｂは、開ける吸気口として、「吸気口７１ａ」を選択する。そして、選択部３５０ｂは、その他の吸気口７２ａ、７３ａを閉める吸気口として選択する。
【０１０９】
選択部３５０ｂが情報機器８０の吸気口８１ａ、８２ａ、８３ａの開閉を選択する処理について説明する。選択部３５０ｂは、装置識別情報が「ｆ４」となる、位置識別情報毎の最高温度を比較し、各最高温度のうち、最も低い温度に対応する位置識別情報を判定する。そして、選択部３５０ｂは、判定した位置識別情報と、位置対応情報３４０ｂとを比較して、吸気口の開閉を選択する。選択部３５０ｂは、最も低い温度に対応する位置識別情報に対応する吸気口を「開ける吸気口」として選択し、その他の吸気口を「閉める吸気口」とする。
【０１１０】
例えば、位置識別情報「ｄ１」の最高温度を「３３．３度」、位置識別情報「ｄ２」の最高温度を「３５．６度」、位置識別情報「ｄ３」の最高温度を「３７．６度」とする。この場合には、各最高温度のうち、最も低い温度に対応する位置識別情報は、位置識別情報「ｄ１」となる。このため、選択部３５０ｂは、最も低い温度に対応する位置識別情報を位置識別情報「ｄ１」として判定する。また、位置識別情報「ｄ１」に対応する吸気口は「吸気口８１ａ」となる。このため、選択部３５０ｂは、開ける吸気口として、「吸気口８１ａ」を選択する。そして、選択部３５０ｂは、その他の吸気口８２ａ、８３ａを閉める吸気口として選択する。
【０１１１】
選択部３５０ｂは、各情報機器５０〜８０の各吸気口の開閉に関する情報を、通知部３５０ｃに出力する。具体的に、選択部３５０ｂは、各情報機器５０〜８０における、開ける吸気口の情報、閉める吸気口の情報、最も低い温度に対応する位置識別情報を、通知部３５０ｃに出力する。
【０１１２】
通知部３５０ｃは、各情報機器５０〜８０の各吸気口の開閉に関する情報を、表示部３３０に表示させる処理部である。通知部３５０ｃは、温度管理テーブル３４０ａを基にして、時間経過に伴って変化する位置毎の温度を表示部３３０に表示させても良い。また、通知部３５０ｃは、位置識別情報に対応する位置を具体的に表示部３３０に表示しても良い。
【０１１３】
図２１は、本実施例２にかかる表示部の表示結果の一例を示す図である。図２１に示す例では、情報機器５０において、最高気温が最も低い位置が「ａ２」であり、開ける吸気口は「吸気口５２ａ」であり、閉める吸気口は「吸気口５１ａ、５３ａ」である旨が表示されている。
【０１１４】
図２１に示すように、情報機器６０において、最高気温が最も低い位置が「ｂ２」であり、開ける吸気口は「吸気口６２ａ」であり、閉める吸気口は「吸気口６１ａ、６３ａ」である旨が表示されている。また、情報機器７０において、最高気温が最も低い位置が「ｃ１」であり、開ける吸気口は「吸気口７１ａ」であり、閉める吸気口は「吸気口７２ａ、７３ａ」である旨が表示されている。また、情報機器８０において、最高気温が最も低い位置が「ｄ１」であり、開ける吸気口は「吸気口８１ａ」であり、閉める吸気口は「吸気口８２ａ、８３ａ」である旨が表示されている。通知部３５０ｃは、吸気口の位置がわかりやすいように、吸気口と位置識別情報とを対応付けて表示しても良い。
【０１１５】
ところで、図１４を参照すると、情報機器６０の吸気口６１ａの下側には、情報機器７０の排気口７４ａが位置し、情報機器６０の吸気口６１ａの上側には、情報機器５０の排気口５４ａが位置している。排気口からは高温の空気が排出されるため、情報機器６０の吸気口を開けた場合には、情報機器６０を冷却することができない。
【０１１６】
ここで、例えば、情報機器６０の位置と情報機器５０の位置とを入れ替えれば、情報機器６０の吸気口６１ａが排気口に挟まれなくなるので、図１４の位置関係のままよりは、吸気口６１ａを開けた場合の冷却効果を期待することができる。
【０１１７】
選択部３５０ｂは、上記のように位置を変更した方が良い情報機器を選択する処理を更に実行しても良い。例えば、選択部３５０ｂは、各情報機器５０〜６０の排気口の周辺に設定された温度センサ５１ｃ、６１ｃ、７１ｃ、８１ｃの温度分布を基にして、温度分布が上下の情報機器と異なる情報機器を、位置を変更した方がよい情報機器として選択する。
【０１１８】
選択部３５０ｂは、位置を変更した方がよい情報機器の情報を、通知部３５０ｃに出力する。通知部３５０ｃは、位置を変更した方がよい情報機器の情報を表示部３３０に表示させる。
【０１１９】
次に、本実施例２にかかる吸気口選択装置３００の処理手順について説明する。図２２は、本実施例２にかかる吸気口選択装置が温度情報を取得する処理手順の一例を示すフローチャートである。吸気口選択装置３００は、図２２に示す処理を、所定の時間間隔毎に繰り返し実行する。
【０１２０】
図２２に示すように、吸気口選択装置３００は、指定時間になったか否かを判定する（ステップＳ２０１）。吸気口選択装置３００は、指定時間になっていない場合には（ステップＳ２０２，Ｎｏ）、処理を終了する。
【０１２１】
一方、吸気口選択装置３００は、指定時間になった場合には（ステップＳ２０２，Ｙｅｓ）、温度情報を各情報機器５０〜８０に要求する（ステップＳ２０３）。そして、吸気口選択装置３００は、各温度情報を情報機器５０〜８０から取得する（ステップＳ２０４）。吸気口選択装置３００は、温度情報を温度管理テーブル３４０ａに登録する（ステップＳ２０５）。
【０１２２】
図２３は、本実施例２にかかる吸気口選択装置が吸気口の開閉を選択する処理手順の一例を示すフローチャートである。吸気口選択装置３００は、例えば、吸気口を選択する旨の要求を入力部３２０等から受け付けた場合に、図２３に示す処理を実行しても良い。
【０１２３】
図２３に示すように、吸気口選択装置３００は、温度管理テーブル３４０ａから各位置識別情報に対応する温度を取得する（ステップＳ２１１）。吸気口選択装置３００は、温度が最も低い位置に対応する吸気口を、開ける吸気口として選択する（ステップＳ２１２）。
【０１２４】
吸気口選択装置３００は、温度分布が上下の情報機器と異なる情報機器を選択する（ステップＳ２１３）。そして、吸気口選択装置３００は、吸気口の開閉に関する情報および位置を変更した方が良い情報機器を表示する（ステップＳ２１４）。
【０１２５】
次に、本実施例２にかかる吸気口選択装置３００の効果について説明する。吸気口選択装置３００は、情報危機５０〜８０に取り付けられた温度センサ５１ａ〜５３ａ、６１ａ〜６３ａ、７１ａ〜７３ａ、８１ａ〜８３ａから温度情報を取得する。そして、吸気口選択装置３００は、取得した各温度情報を基にして、情報機器毎に、吸気口の開閉を選択する。このため、吸気口選択装置３００によれば、メーカや製造カテゴリの異なる複数の情報機器をラック２００に格納する場合であっても、最も冷却に適した吸気口を情報機器毎に保守者に通知することができる。また、最も冷却に適した吸気口を通知することで、各情報機器の高温による障害を未然に防止することもできる。
【実施例３】
【０１２６】
実施例１、２に示した情報機器５０〜８０、吸気口選択装置１００、３００の構成や処理の内容は一例である。実施例３では、情報機器および吸気口選択装置にかかるその他の実施例について説明する。
【０１２７】
選択部が吸気口の開閉を選択するその他の処理について説明する。下記に示す温度取得部は、実施例１、２に示した温度取得部１５０ａ、３５０ａに対応する。下記に示す選択部は、実施例１、２に示した選択部１５０ｂ、３５０ｂに対応する。下記に示す通知部１５０ｃは、実施例１、２に示した通知部１５０ｃ、３５０ｃに対応する。下記に示す温度管理テーブルは、実施例１、２に示した温度管理テーブル１４０ａ、３４０ａに対応する。
【０１２８】
（平均温度が最も低い位置に対応する吸気口を、開ける吸気口として選択する場合について）
選択部は、平均温度が最も低い位置に対応する吸気口を、開ける吸気口として選択しても良い。選択部は、温度管理テーブルを基にして、位置識別情報毎の平均気温を算出し、各平均気温のうち、最も低い平均気温に対応する位置識別情報を判定する。選択部は、判定した位置識別情報に対応する吸気口を開ける吸気口として選択し、その他の吸気口を閉める吸気口として選択する。
【０１２９】
このように、平均温度を利用して、吸気口の開閉を選択することで、一時的に温度が低くなった位置の吸気口を開ける対象となる吸気口として選択することを防止することができ、安定して冷却可能な吸気口を選択することができる。
【０１３０】
（所定時刻における温度が、最も低い位置に対応する吸気口を、開ける吸気口として選択する場合について）
選択部は、所定時刻における温度が、最も低い位置に対応する吸気口を、開ける吸気口として選択しても良い。例えば、所定時刻は、現在の時刻でも良いし、予め設定した時刻でも良い。選択部は、温度管理テーブルを基にして、所定時刻における温度を、位置識別情報毎に抽出する。選択部は、抽出した所定時刻の温度のうち、最も低い温度に対応する位置識別情報を判定する。選択部は、判定した位置識別情報に対応する吸気口を開ける吸気口として選択し、その他の吸気口を閉める吸気口として選択する。
【０１３１】
このように、所定時刻の温度を利用して、吸気口の開閉を選択することで、例えば、時間によって温度が低くなる位置に偏りが生じる場合でも、かかる偏りに対応して、冷却に適した吸気口を選択することができる。
【０１３２】
（温度が所定の温度以上となる回数を温度センサの位置と対応付けて計数し、計数した回数が最小となる位置に対応する吸気口を、開ける吸気口として選択する場合について）
選択部は、温度が所定の温度以上となる回数を温度センサの位置と対応付けて計数し、計数した回数が最小となる位置に対応する吸気口を、開ける吸気口として選択しても良い。選択部は、温度管理テーブルを基にして、温度が所定の温度以上となる回数を、位置識別情報毎に計数する。選択部は、温度が所定の温度以上となる回数が最小となる位置識別情報を判定する。選択部は、判定した位置識別情報に対応する吸気口を開ける吸気口として選択し、その他の吸気口を閉める吸気口として選択する。
【０１３３】
このように、温度が所定の温度以上となる回数を利用して、吸気口の開閉を選択することで、一時的に温度が低くなった位置の吸気口を開ける対象となる吸気口として選択することを防止することができ、安定して冷却可能な吸気口を選択することができる。
【０１３４】
（通知部のその他の処理について）
通知部は、吸気口の開閉に関する情報を、表示部に表示させていたが、これに限定されるものではない。通知部は、吸気口の開閉に関する情報を、ネットワークを介して上位装置に通知してもよい。
【０１３５】
（排気口の周辺に温度センサを配置する場合について）
ところで、情報機器５０〜８０の排気口の周辺に温度センサを設け、この温度センサを更に利用して、選択部は、吸気口の開閉を選択しても良い。図２４は、排気口の周辺に温度センサを配置した各情報機器の一例を示す図である。
【０１３６】
図２４に示すように、情報機器５０〜８０の排気口の周辺に温度センサが配置されている。例えば、情報機器５０において、排気口５４ａ側に温度センサ５４ｃが配置されている。情報機器５０は、温度センサ５１ｃ〜５４ｃが測定した温度の情報を、吸気口選択装置３００に出力する。
【０１３７】
温度取得部は、情報機器５０において、吸気口５１ａが開き、吸気口５２ｂ、５３ｂが閉まった状態５−１における温度センサ５４ｃの温度を、温度管理テーブルに記憶する。また、温度取得部は、吸気口５２ａが開き、吸気口５１ａ、５３ａが閉まった状態５−２における温度センサ５４ｃの温度を、温度管理テーブルに記録する。また、温度取得部は、吸気口５３ａが開き、吸気口５１ａ、５２ａが閉まった状態５−３における温度センサ５４ｃの温度を、温度管理テーブルに記録する。
【０１３８】
選択部は、状態５−１〜５−３の温度センサ５４ｃの温度を比較し、最も温度の低い状態を判定する。選択部は、選択した状態において、開いていた吸気口を、開ける吸気口として選択し、その他の吸気口を閉める吸気口として選択する。例えば、状態５−１の温度センサ５４ｃの温度が最も低い温度であれば、選択部は、吸気口５１ａを開ける吸気口として選択する。選択部は、吸気口５２ａ、５３ａを閉める吸気口として選択する。
【０１３９】
情報機器６０において、排気口６４ａ側に温度センサ６４ｃが配置されている。情報機器６０は、温度センサ６１ｃ〜６４ｃが測定した温度の情報を、吸気口選択装置３００に出力する。
【０１４０】
温度取得部は、情報機器６０において、吸気口６１ａが開き、吸気口６２ａ、６３ａが閉まった状態６−１における温度センサ６４ｃの温度を、温度管理テーブルに記憶する。また、温度取得部は、吸気口６２ａが開き、吸気口６１ａ、６３ａが閉まった状態６−２における温度センサ６４ｃの温度を、温度管理テーブルに記録する。また、温度取得部は、吸気口６３ａが開き、吸気口６１ａ、６２ａが閉まった状態６−３における温度センサ６４ｃの温度を、温度管理テーブルに記録する。
【０１４１】
選択部は、状態６−１〜６−３の温度センサ６４ｃの温度を比較し、最も温度の低い状態を判定する。選択部は、選択した状態において、開いていた吸気口を、開ける吸気口として選択し、その他の吸気口を閉める吸気口として選択する。例えば、状態６−１の温度センサ６４ｃの温度が最も低い温度であれば、選択部は、吸気口６１ａを開ける吸気口として選択する。選択部は、吸気口６２ａ、６３ａを閉める吸気口として選択する。
【０１４２】
情報機器７０において、吸気口７４ａ側に温度センサ７４ｃが配置されている。情報機器７０は、温度センサ７１ｃ〜７４ｃが測定した温度の情報を、吸気口選択装置３００に出力する。
【０１４３】
温度取得部は、情報機器７０において、吸気口７１ａが開き、吸気口７２ａ、７３ａが閉まった状態７−１における温度センサ７４ｃの温度を、温度管理テーブルに記憶する。また、温度取得部は、吸気口７２ａが開き、吸気口７１ａ、７３ａが閉まった状態７−２における温度センサ７４ｃの温度を、温度管理テーブルに記録する。また、温度取得部は、吸気口７３ａが開き、吸気口７１ａ、７２ａが閉まった状態７−３における温度センサ７４ｃの温度を、温度管理テーブルに記録する。
【０１４４】
選択部は、状態７−１〜７−３の温度センサ７４ｃの温度を比較し、最も温度の低い状態を判定する。選択部は、選択した状態において、開いていた吸気口を、開ける吸気口として選択し、その他の吸気口を閉める吸気口として選択する。例えば、状態７−１の温度センサ７４ｃの温度が最も低い温度であれば、選択部は、吸気口７１ａを開ける吸気口として選択する。選択部は、吸気口７２ａ、７３ａを閉める吸気口として選択する。
【０１４５】
情報機器８０において、吸気口８４ａ側に温度センサ８４ｃが配置されている。情報機器８０は、温度センサ８１ｃ〜８４ｃが測定した温度の情報を、吸気口選択装置３００に出力する。
【０１４６】
温度取得部は、情報機器８０において、吸気口８１ａが開き、吸気口８２ａ、８３ａが閉まった状態８−１における温度センサ８４ｃの温度を、温度管理テーブルに記憶する。また、温度取得部は、吸気口８２ａが開き、吸気口８１ａ、８３ａが閉まった状態８−２における温度センサ８４ｃの温度を、温度管理テーブルに記録する。また、温度取得部は、吸気口８３ａが開き、吸気口８１ａ、８２ａが閉まった状態８−３における温度センサ８４ｃの温度を、温度管理テーブルに記録する。
【０１４７】
選択部は、状態８−１〜８−３の温度センサ８４ｃの温度を比較し、最も温度の低い状態を判定する。選択部は、選択した状態において、開いていた吸気口を、開ける吸気口として選択し、その他の吸気口を閉める吸気口として選択する。例えば、状態８−１の温度センサ８４ｃの温度が最も低い温度であれば、選択部は、吸気口８１ａを開ける吸気口として選択する。選択部は、吸気口８２ａ、８３ａを閉める吸気口として選択する。
【０１４８】
（情報機器の内部の電子部品の配置例について）
次に、情報機器の内部の電子部品の配置例について説明する。図２５は、情報機器の内部の電子部品の配置例を示す図である。例えば、情報機器５０に配置される複数の電子部品のうち、冷却対象として優先度が他の電子部品よりも高い電子部品を、排気口５４ａの周辺に配置する。冷却対象として優先度が他の電子部品よりも高い電子部品は、ＣＰＵ１０Ａである。排気口５４ａの周辺は、空気の通り道となる。このため、排気口５４ａの周辺に冷却対象として優先度の高い電子部品を配置することで、他の領域に配置する場合と比較して、より効率的に電子部品を冷却することができる。
【０１４９】
情報機器６０〜８０に関しても、情報機器５０と同様にして、冷却対象として優先度が他の電子部品よりも高い電子部品を、排気口の周辺に配置する。
【０１５０】
（保守者が吸気口選択装置を用いる作業内容の一例について）
次に、保守者が吸気口選択装置３００を用いる作業内容の一例について説明する。例えば、保守者は、初期設定時、保守作業時に、吸気口選択装置３００を情報機器５０〜８０と接続する。保守者は、前準備として、情報機器５０〜８０の吸気口のカバーを全て開けておく。保守者は、前準備を行った後に、吸気口選択装置３００に処理を実行させ、吸気口選択装置３００の表示部３３０を参照し、開ける吸気口および閉める吸気口を判断し、閉める吸気口のカバーを閉める。
【０１５１】
また、保守者は、各情報機器５０〜８０の運転時に、吸気口選択装置３００を情報機器５０〜８０と接続し、温度を確認しても良い。吸気口選択装置３００は、上記処理の他に、各温度センサの温度が所定の温度を超えているか否かを判定し、判定結果を表示部３３０に表示しても良い。なお、吸気口選択装置３００と各情報機器５０〜８０をＬＡＮ等で常時接続しておき、保守者は、各情報機器５０〜８０の温度の状態を確認しても良い。
【０１５２】
（カバーに駆動部を設置）
ところで、情報機器５０〜８０の吸気口のカバーに駆動装置等を取り付けて、吸気口のカバーが自動的に開閉するように構成しても良い。吸気口選択装置３００は、上記の処理に加えて、情報機器５０〜８０の駆動装置に制御命令を出力し、判定結果に応じて、カバーを開閉させる。例えば、吸気口選択装置３００は、初期設定時に、駆動装置に制御命令を出力し、吸気口のカバーを全て開ける。そして、上記のように吸気口の開閉を選択した後に、開けると判定した吸気口のカバーを開けたままにし、その他の吸気口のカバーを閉めるように、制御命令を各駆動装置に出力する。
【符号の説明】
【０１５３】
５０、６０、７０、８０  情報機器
１００、３００  吸気口選択装置
２００  ラック
１１０、３１０  インターフェース部
１２０、３２０  入力部
１３０、３３０  表示部
１３５、３３５  タイマ
１４０、３４０  記憶部
１５０、３５０  制御部
【図１】
2015005776.tif 000003
【図２】
2015005776.tif 000004
【図３】
2015005776.tif 000005
【図４】
2015005776.tif 000006
【図５】
2015005776.tif 000007
【図６】
2015005776.tif 000008
【図７】
2015005776.tif 000009
【図８】
2015005776.tif 000010
【図９】
2015005776.tif 000011
【図１０】
2015005776.tif 000012
【図１１】
2015005776.tif 000013
【図１２】
2015005776.tif 000014
【図１３】
2015005776.tif 000015
【図１４】
2015005776.tif 000016
【図１５】
2015005776.tif 000017
【図１６】
2015005776.tif 000018
【図１７】
2015005776.tif 000019
【図１８】
2015005776.tif 000020
【図１９】
2015005776.tif 000021
【図２０】
2015005776.tif 000022
【図２１】
2015005776.tif 000023
【図２２】
2015005776.tif 000024
【図２３】
2015005776.tif 000025
【図２４】
2015005776.tif 000026
【図２５】
2015005776.tif 000027